(57)【要約】 【課題】反射マイクロデバイスを使った映像装置において、マスクの穴を大きくすることなく、投影に必要な光だけを効率よく通す遮光装置を提供する。【解決手段】反射マイクロデバイス１０の遮光装置は、マスク６０を備える。マスク６０は、照明レンズ３０を介して入射される照明光を反射する反射マイクロデバイス１０で反射された光を結像し、結像した光を投影するため最終投影レンズに出射する中間投影レンズ４０に取り付けられる。マスク６０は、マスク６０と照明レンズ３０を介して入射される照明光であって反射マイクロデバイス１０で反射される光とが交差する領域に、略同一形状を有する穴６０ａを有する。【選択図】図３
2007279080.tif 000002
【特許請求の範囲】
【請求項１】
照明レンズを介して入射される照明光を反射する反射マイクロデバイスで反射された光を結像し、前記結像した光を投影するため最終投影レンズに出射する中間投影レンズに取り付けられ、前記照明レンズを介して入射される照明光であって前記反射マイクロデバイスで反射される光と交差する領域に、略同一形状を有する穴を有するマスクを備えることを特徴とする反射マイクロデバイスの遮光装置。
【請求項２】
前記マスクは、前記中間投影レンズにおいて結像が行われる結像面近傍に取り付けられることを特徴とする請求項１に記載の遮光装置。
【発明の詳細な説明】
【技術分野】
【０００１】
本発明は、反射マイクロデバイスの遮光装置に関し、特に投影に必要な光だけを効率よく投影レンズに入射させる遮光装置に関する。
【背景技術】
【０００２】
従来、反射マイクロデバイスを使った映像装置が提案されている。
【０００３】
反射マイクロデバイスを使った映像装置における反射部は、反射マイクロデバイス１０、カバーガラス２０、照明レンズ３０、中間投影レンズ４０、及び最終投影レンズ４１を備える（図１参照）。
【０００４】
反射部は、照明レンズ３０を介して集光した光源ランプ（不図示）からの光を、斜め方向（入射角が０度でない方向）から、反射マイクロデバイス１０に当て、反射マイクロデバイス１０において中間投影レンズ４０に向けて、斜め方向（出射角が０度でない方向）に反射する。反射した光は、中間投影レンズ４０の先端付近で結像される。結像された光は、最終投影レンズ４１を介して、プロジェクタのスクリーン（不図示）、又はリアプロジェクションテレビ（不図示）の画面に投影される。
【０００５】
照明レンズ３０からの光で、反射マイクロデバイス１０によって中間投影レンズ４０に向けて反射された光だけを効率よく中間投影レンズ４０に入射させるため、カバーガラス２０と照明レンズ３０、及び中間投影レンズ４０との間にはマスク５０が配置される（図２参照）。図２は、最終投影レンズが省略されている。
【０００６】
また、特許文献１は、フロント投射型プロジェクタ用の投射レンズの前玉近傍に配置されたマスクを開示する。
【特許文献１】特開２０００−１９４０６５号公報
【発明の開示】
【発明が解決しようとする課題】
【０００７】
しかし、マスク５０は、照明レンズ３０からの入射光を遮らないために、反射マイクロデバイス１０の反射光の範囲よりも広く開口する必要がある。そのため、不要な光も投影レンズ４０に入射されていた。
【０００８】
また、特許文献１の装置は、投射レンズの前玉部分に取り付けられるため、マスクにおける必要な光を通す穴が大きくなる。穴が大きい拡大投影側において効果的に遮光するのは難しく、またマスク部品が大きくなる。
【０００９】
したがって本発明の目的は、反射マイクロデバイスを使った映像装置において、マスクの穴を大きくすることなく、投影に必要な光だけを効率よく通す遮光装置を提供することである。
【課題を解決するための手段】
【００１０】
本発明に係る反射マイクロデバイスの遮光装置は、照明レンズを介して入射される照明光を反射する反射マイクロデバイスで反射された光を結像し、結像した光を投影するため最終投影レンズに出射する中間投影レンズに取り付けられ、照明レンズを介して入射される照明光であって反射マイクロデバイスで反射される光と交差する領域に、略同一形状を有する穴を有するマスクを備える。
【００１１】
好ましくは、マスクは、中間投影レンズにおいて結像が行われる結像面近傍に取り付けられる。
【発明の効果】
【００１２】
以上のように本発明によれば、反射マイクロデバイスを使った映像装置において、マスクの穴を大きくすることなく、投影に必要な光だけを効率よく通す遮光装置を提供することができる。
【発明を実施するための最良の形態】
【００１３】
以下、本実施形態について、図を用いて説明する。本実施形態における反射マイクロデバイスを使用した映像装置の反射部１は、反射マイクロデバイス１０、カバーガラス２０、照明レンズ３０、中間投影レンズ４０、及びマスク（遮光装置）６０を備える（図３参照）。図３は、中間投影レンズ４０からの光が入射される最終投影レンズを省略している。
【００１４】
反射部１は、照明レンズ３０を介して集光した光源ランプ（不図示）からの光を、斜め方向（入射角が０度でない方向）から、反射マイクロデバイス１０に当て、反射マイクロデバイス１０において中間投影レンズ４０に向けて、斜め方向（出射角が０度でない方向）に反射する。反射した光は、中間投影レンズ４０の先端（出射端）付近で結像される。結像された光は、最終投影レンズ（不図示）を介して、プロジェクタのスクリーン（不図示）、又はリアプロジェクションテレビ（不図示）の画面に拡大投影され、スクリーン上で再度結像される。
【００１５】
なお、本実施形態では、照明レンズ３０と反射マイクロデバイス１０との間におけるマスクを省略したが、反射マイクロデバイス１０への必要な入射光だけを効率よく反射させるためには、照明レンズ３０からの光の光束の外形に合わせたマスクを配置させるのが望ましい。
【００１６】
反射マイクロデバイス１０は、半導体上に独立して動くミラー（ＤＭＤ：Ｄｉｇｉｔａｌ  Ｍｉｃｒｏｍｉｒｒｏｒ  Ｄｅｖｉｃｅ）が複数個敷き詰められ、それぞれのミラーがオン状態の時には照明レンズ３０を介して入射した光を、中間投影レンズ４０に向けて反射し、オフ状態の時には照明レンズ３０を介して入射した光を、内部の吸収体（不図示）等に反射して中間投影レンズ４０に向けて反射しない。各ミラーを個別に駆動することにより、表示画素ごとに光の投射が制御される。
【００１７】
反射マイクロデバイス１０のミラーがある側は、カバーガラス２０で覆われている。
【００１８】
中間投影レンズ４０の先端付近の結像される結像面近傍に、マスク６０が取り付けられる。マスク６０は、マスク６０と照明レンズ３０を介して光源ランプから反射マイクロデバイス１０に入射される照明光であって反射マイクロデバイス１０で反射され結像面近傍を通る光とが交差する領域に、略同一形状を有する台形の穴６０ａを有する。穴６０ａの穴の大きさを出来るだけ小さくするために、マスク６０の穴６０ａを形成する面は、中間投影レンズ４０の光軸に略垂直な位置関係にあるのが望ましい。
【００１９】
反射マイクロデバイス１０の反射面の平面形状は、矩形であるが、中間投影レンズ４０によって結像される中間像は台形歪みを有する台形像となる。この台形像は、最終投影レンズ４１により矯正されて、台形歪みのない拡大投影像としてスクリーンに投影される。
【００２０】
照明光のうち反射マイクロデバイス１０によって中間投影レンズ４０に向かって反射された光は、中間投影レンズ４０を通り、結像面で結像される。結像された光は、結像面近傍に取り付けられたマスク６０の穴６０ａを通り、最終投影レンズに向けて照射される。照明光のうち反射マイクロデバイス１０によって中間投影レンズ４０に向かって反射された光以外で、中間投影レンズ４０を通って出射された光は、マスク６０の穴６０ａ以外の部分で遮光される。遮光された光は、最終投影レンズに照射されないため、最終投影レンズを介してスクリーン等に投影される映像に影響を与えない。
【００２１】
これにより、中間投影レンズ４０を通る光であっても、照明光のうち反射マイクロデバイス１０によって中間投影レンズ４０に向かって反射された光以外の不要な光をマスク６０で遮光し、必要な光だけを最終投影レンズに投影することが可能になる。
【００２２】
これにより、良好な投影画像を得るための光だけを効率よく投影レンズ４０に入射させることが可能になる。また、マスク６０は、中間投影レンズ４０に取り付けられるため、穴６０ａの取り付け方向、及び位置の確認が、マスクを中間投影レンズ４０とカバーガラス２０との間に取り付ける場合に比べて容易であるメリットを有する。マスク６０が取り付けられる位置は、中間投影レンズ４０により結像される結像面近傍に設定されるため、穴６０ａの大きさを最小にすることが出来、不要な光が穴６０ａを通る可能性を低くすることが可能になる。
【００２３】
マスク６０は、最終投影レンズに入射される前の光に対して遮光を行うため、穴６０ａを大きくする必要がない。従って、最終投影レンズの入射後に行われる遮光に比べて、投影に不要な光が穴を通る可能性を低くすることが出来る。本実施形態のように最終投影レンズを介して拡大投影される場合にその効果が特に顕著である。
【図面の簡単な説明】
【００２４】
【図１】従来技術におけるマスクが無い状態の反射部を示す斜視図である。
【図２】従来技術におけるマスクが有る状態の反射部を示す斜視図である。
【図３】本実施形態における反射マイクロデバイスを使用した映像装置の反射部を示す斜視図である。
【符号の説明】
【００２５】
１  反射マイクロデバイスを使用した映像装置の反射部
１０  反射マイクロデバイス
２０  カバーガラス
３０  照明レンズ
４０  中間投影レンズ
４１  最終投影レンズ
５０  従来技術のマスク
６０  本実施形態におけるマスク
６０ａ  穴
【図１】
2007279080.tif 000003
【図２】
2007279080.tif 000004
【図３】
2007279080.tif 000005